(57)【要約】【課題】電子装置における簡単なネットワーク構成セッティング方法およびシステムを提供する。【解決手段】本発明の一実施形態によるバイオメトリック構成管理システム１０は、ユーザに関連するバイオメトリック・データを受け取るバイオメトリック・センサ・モジュール１６を備えている。このシステム１０はまた、この受け取られたバイオメトリック・データに基づいて、装置１２用の通信ネットワーク構成セッティングを自動的に選択するようにした設定モジュール４８も含む。【選択図】図１
2005322217.tif 000002
【特許請求の範囲】
【請求項１】
ユーザに関連するバイオメトリック・データを受け取るバイオメトリック・センサ・モジュールと、
前記受け取られたバイオメトリック・データに基づいて、装置用の通信ネットワーク構成セッティングを自動的に選択するように構成された設定モジュールと、
を備えているバイオメトリック構成管理システム。
【請求項２】
前記受け取られたバイオメトリック・データを、前記選択されたネットワーク構成セッティングに相関させるために、前記設定モジュールがアクセスできるリレーショナル・データをさらに備えている、請求項１に記載のシステム。
【請求項３】
前記選択されたネットワーク構成セッティングが、ローカル・エリア・ネットワーク（ＬＡＮ）構成セッティング、広域ネットワーク（ＷＡＮ）構成セッティング、パーソナル・エリア・ネットワーク（ＰＡＮ）構成セッティング、および仮想私設ネットワーク（ＶＰＮ）構成セッティングから成るグループのうちの少なくとも１つを含む、請求項１に記載のシステム。
【請求項４】
前記設定モジュールが、前記受け取られたバイオメトリック・データに基づいて、前記装置を、他のネットワーク構成セッティングから、前記選択されたネットワーク構成セッティングに自動的に切り替えるように構成されている、請求項１に記載のシステム。
【請求項５】
前記設定モジュールが、前記受け取られたバイオメトリック・データを、記憶されたバイオメトリック・データと比較して、前記ネットワーク構成セッティングを選択するように構成されている、請求項１に記載のシステム。
【請求項６】
前記設定モジュールが、前記ネットワーク構成セッティングに対応づけられる特定のバイオメトリックを識別するために、インターフェースを前記ユーザに表示するように構成されている、請求項１に記載のシステム。
【請求項７】
前記バイオメトリック・データが、指紋スキャン・バイオメトリック、音声スキャン・バイオメトリック、顔の特徴バイオメトリック、および目スキャン・バイオメトリックから成るグループのうちの少なくとも１つを含む、請求項１に記載のシステム。
【請求項８】
前記設定モジュールが、前記ネットワーク構成セッティングの前記ユーザからの選択を受け取って、それを、前記バイオメトリック・データに対応づけるように構成されている、請求項１に記載のシステム。
【請求項９】
前記設定モジュールが、登録されるバイオメトリックを識別するために、前記ユーザにインターフェースを表示するように構成されている、請求項１に記載のシステム。
【請求項１０】
前記設定モジュールが、前記ユーザに特定のバイオメトリックを要求して、それを前記ネットワーク構成セッティングに対応づけるように構成されている、請求項１に記載のシステム。
【発明の詳細な説明】
【技術分野】
【０００１】
本発明は、バイオメトリックを用いた電子装置の構成管理に関する。
【背景技術】
【０００２】
ラップトップ型パソコンやノート型パソコン、ＰＤＡ（携帯情報端末）、タブレット・コンピュータ、タッチスクリーン・ディスプレイ、デスクトップ・コンピュータ、および他のタイプの装置などの電子装置は、一般に、様々な異なるタイプの有線および／または無線通信ネットワーク上で通信するように構成されている。例えば、この装置を、ＰＳＴＮ（公衆電話交換網）、ＷＡＮ（広域ネットワーク）、ＬＡＮ（ローカル・エリア・ネットワーク）、および／または、ＰＡＮ（パーソナル・エリア・ネットワーク）上で通信するように構成することができる。しかしながら、特定の通信ネットワーク・セッティングを識別し、選択し、かつ／または、そのようなセッティングに切り替えることは、一般に困難であり、ユーザによる時間のかかる一連の作業を必要とする。さらに、ポータブル型の電子装置では、この装置を異なる場所に運ぶときに、所望のタイプおよび／または利用可能なタイプの通信ネットワークを受け入れるために、この装置のネットワーク構成セッティングも変更しなければならず、それにより、ネットワーク構成セッティングを変更する複雑さが増し、かつ、度々のセッティング変更作業が必要となる。
【発明の開示】
【０００３】
本発明の一実施形態によれば、バイオメトリック構成管理システム（biometric configuration management system）は、ユーザに関連するバイオメトリック・データを受け取るバイオメトリック・センサ・モジュールを含む。このシステムはまた、この受け取られたバイオメトリック・データに基づいて、装置用の通信ネットワーク構成セッティングを自動的に選択するようにした設定モジュールも含む。
【０００４】
本発明の他の実施形態によれば、バイオメトリック構成管理方法は、ユーザからバイオメトリック・データを受け取って、その受け取られたバイオメトリック・データに基づいて、装置用の通信ネットワーク構成セッティングを自動的に選択することを含む。
次に、本発明と、本発明の利点をさらに完全に理解するために、添付図面に関連して読まれる以下の説明を参照する。
【発明を実施するための最良の形態】
【０００５】
本発明の好ましい実施形態と、本発明の利点は、図面の図１〜図４を参照することにより、もっともよく理解される。この場合、様々な図面の同じ部分および対応する部分には、同じ数字が用いられている。
【０００６】
図１は、本発明によるバイオメトリック構成管理システム１０の一実施形態を例示した図である。簡潔に言えば、システム１０は、電子装置１２により受け取られたユーザ・バイオメトリックに基づいて、ユーザが、電子装置１２用の所望の有線および／または無線通信ネットワーク・セッティングを自動的に選択し、構成し、かつ／または、そのようなセッティングに切り替えることを可能にする。例えば、本発明のいくつかの実施形態によれば、電子装置１２は、異なる指紋スキャンまたは他のタイプのバイオメトリックを、電子装置１２用の異なるタイプの有線および／または無線ネットワーク構成セッティングに対応づけるように構成され、ユーザから特定の指紋バイオメトリックを受け取ると、電子装置１２が、所望の対応する通信ネットワーク・セッティングを自動的に選択し、かつ／または、そのようなセッティングに切り替えるようにしている。電子装置１２は、ラップトップ型パソコンまたはノート型パソコン、ＰＤＡ（携帯情報端末）、タブレット・コンピュータ、タッチスクリーン・ディスプレイ、またはデスクトップ・コンピュータなど（ただし、それらには限定されない）、ポータブル型であれ、非ポータブル型であれ、どんなタイプの電子装置も含むことができる。
【０００７】
図１に示される実施形態では、装置１２は、プロセッサ１４、バイオメトリック・センサ・モジュール１６、メモリ１８を含む。センサ・モジュール１６は、電子装置１２のユーザに関連する様々なタイプのバイオメトリックを受け取って、かつ／または解析するために、ハードウェア、ソフトウェア、またはハードウェアとソフトウェアの組合せを含む。例えば、図１に示される実施形態では、バイオメトリック・センサ・モジュール１６は、目スキャン・モジュール２０、指紋スキャン・モジュール２２、音声スキャン・モジュール２４、顔の特徴モジュール２６を含む。目スキャン・モジュール２０は、網膜または他のタイプの光学スキャンなど、ユーザの目に関連するバイオメトリック情報を受け取って、かつ／または解析するように構成されている。指紋スキャン・モジュール２２は、ユーザに関連する指紋バイオメトリック情報を受け取って、かつ／または解析するように構成されている。音声スキャン・モジュール２４は、装置１２のユーザにより提供された音声信号を受け取って、かつ／または解析するように構成されている。顔の特徴モジュール２６は、装置１２のユーザの顔の表情またはしぐさを受け取って、かつ／または解析するように構成されている。しかしながら、装置１２は、他のタイプのバイオメトリック情報を受け取って、かつ／または解析するように構成することができると理解すべきである。さらに、装置１２は、単一タイプのバイオメトリック情報または複数タイプの異なるバイオメトリック情報を受け取って、かつ／または解析するように構成することができると理解すべきである。
【０００８】
いくつかの実施形態では、装置１２は、所望の数量のバイオメトリックが、装置１２用の対応する数量の利用可能な無線および／または有線ネットワーク通信セッティングに対応づけられるのを可能にするために、指紋スキャン・モジュール２２などのただ１つのタイプのバイオメトリック・センサを用いて構成される。例えば、指紋スキャン・モジュール２２を用いて構成された幾つかの実施形態では、装置１２は、１０種類もの記憶されたバイオメトリックを持つように構成されており、また、各バイオメトリックは、装置１２用の異なるネットワーク通信セッティングに対応づけられる。しかしながら、他のタイプのバイオメトリック・センサにより、さらに多い、またはさらに少ない数量のバイオメトリックを記憶させて、それらが、装置１２用の異なるネットワーク通信セッティングに対応づけられるようにすることができると理解すべきである。さらに、装置１２はまた、異なるタイプのバイオメトリックを記憶させて、それらのバイオメトリックを、装置１２用の異なるタイプの通信ネットワーク・セッティングに対応づける柔軟性をさらに高めるために、複数の異なるタイプのバイオメトリック・センサを用いて構成されることができると理解すべきである。
【０００９】
さらに、ただ１つのバイオメトリック、および／または、同時に、かつ／または順次に入力されるバイオメトリックの組合せを使用して、特定の通信ネットワーク・セッティングに対応づけることができると理解すべきである。例えば、いくつかの実施形態では、異なる指紋スキャン・バイオメトリックの組合せ、または、指紋スキャン・バイオメトリックと他のタイプのバイオメトリックとの組合せを使用して、特定の通信ネットワーク・セッティングに対応づける。いくつかの実施形態では、装置１２は、特定の通信ネットワーク・セッティングを、同時に入力される複数のバイオメトリック（例えば、同時に入力される２本の異なる指の指紋スキャン）に対応づけるように構成されている。他の実施形態では、装置１２は、特定の通信ネットワーク・セッティングを、順次に入力される（例えば、指紋スキャン・バイオメトリックの後に、他の指紋スキャン・バイオメトリックか、他のタイプのバイオメトリックのいずれかが続く）複数のバイオメトリックに対応づけるように構成されている。さらに、装置１２は、異なるバイオメトリックを、異なる通信ネットワーク・セッティングに対応づける（例えば、指紋スキャン・バイオメトリックを特定のネットワーク・セッティングに対応づけ、また、目スキャン・バイオメトリックを他のネットワーク・セッティングに対応づける）ように構成することができると理解すべきである。システム１０の説明の様々な部分は、本発明の指紋スキャン・バイオメトリック実施形態を対象とするが、それ以外には、本発明の実施形態を変更して、追加および／または代替のバイオメトリック用途を包含するようにすることができると理解すべきである。
【００１０】
図１に示される実施形態では、装置１２はまた、ＬＡＮ（ローカル・エリア・ネットワーク）４０、ＷＡＮ（広域ネットワーク）４２、ＰＡＮ（パーソナル・エリア・ネットワーク）４４を含め（ただし、それらには限定されない）、異なるタイプの有線および／または無線通信ネットワークと通信するために、セルラーまたは無線用のモデム３０、無線通信回路３２、有線通信回路３３、ネットワーク切替え回路３４も含む。図１には、装置１２、ＬＡＮ４０、ＷＡＮ４２、ＰＡＮ４４が、無線通信用に構成されているものとして図示されている。しかしながら、装置１２、ＬＡＮ４０、ＷＡＮ４２、および／またはＰＡＮ４４はまた、有線、すなわち無線でない通信用に構成されることができると理解すべきである。
【００１１】
図１に示される実施形態では、システム１０は、ソフトウェア、ハードウェア、またはソフトウェアとハードウェアの組合せを持つ設定モジュール４８も含む。簡潔に言えば、設定モジュール４８は、ユーザのバイオメトリック情報を、装置１２用の特定の無線および／または有線通信ネットワーク構成セッティングに対応づけて、特定の無線および／有線通信ネットワークを介して通信するために、電子装置１２を自動的に設定し、かつ／または、切り替えることができるようにする。例えば、いくつかの実施形態では、設定モジュール４８は、ユーザ指紋スキャン・バイオメトリックを、異なるタイプの通信ネットワーク・セッティングに対応づけるように構成され、特定のユーザ指紋スキャン・バイオメトリックを受け取ると、設定モジュール４８が、装置１２を自動的に切り換えて、かつ／または、装置１２を設定して、関連するネットワーク構成セッティングに基づいて、対応する通信ネットワークを介して通信するようにしている。
【００１２】
図１に示される実施形態では、装置１２はまた、バイオメトリック・データ６０、設定データ６２、リレーショナル・データ６４を有するデータベース５０も含む。バイオメトリック・データ６０は、電子装置１２のユーザの登録バイオメトリック（registered biometrics）に関連する情報を含む。例えば、バイオメトリック・データ６０は、特定の有線および／または無線通信ネットワークに対応づけるために、バイオメトリック・センサ・モジュール１６で得られたユーザ・バイオメトリック情報を含むことができる。例えば、動作の際、いくつかの実施形態では、設定モジュール４８は、登録動作を起動して、ユーザ・バイオメトリック情報を受け取って、記憶させ、かつ、ユーザ・バイオメトリック情報を、特定の無線および／または有線通信ネットワーク・セッティングとともに登録する。これらの登録ユーザ・バイオメトリックは、バイオメトリック・データ６０として、データベース５０に記憶される。したがって、次にユーザ・バイオメトリックを受け取ると、バイオメトリック・センサ・モジュール１６および／または設定モジュール４８は、この受け取られたユーザ・バイオメトリックと、バイオメトリック・データ６０を比較して、ユーザで受け取られた特定のバイオメトリックを識別する。
【００１３】
設定データ６２は、特定の有線および／または無線通信ネットワークを介して通信するために、装置１２の設定に関連する情報を含む。例えば、図１に示される実施形態では、設定データ６２は、ＰＡＮ通信ネットワーク・セッティング７０、ＷＡＮ通信ネットワーク・セッティング７２、ＬＡＮ通信ネットワーク・セッティング７４に関連する情報を含む。しかしながら、設定データ６２は、他の、または追加の通信ネットワーク・セッティングに関係する情報を含むことができると理解すべきである。各セッティング７０、７２、７４は、携帯電話データ・ネットワークの接続または探索に関連する情報など（ただし、それには限定されない）、特定の通信ネットワークとの接続の確立および／または終了に関係する情報を含むことができる。図１に示される実施形態では、設定データ６２は、公衆網へのセキュア・リンクの確立および／または終了に関連する情報を持つＶＰＮ（仮想私設ネットワーク）セッティング７６も含む。各セッティング７０、７２、７４、７６は、特定の通信ネットワーク用の単一セッティングに関連する情報を含むか、あるいは、特定の通信ネットワーク用の複数セッティングを含むことができる。例えば、ＬＡＮセッティング７４は、ＬＡＮ４０に対応する単一セッティングに関連する情報を含むか、あるいは、ＬＡＮ４０を介して通信する複数セッティングを含むことができる。
【００１４】
リレーショナル・データ６４は、セッティング７０、セッティング７２、またはセッティング７４など（ただし、それらには限定されない）、装置１２用の特定の有線および／または無線ネットワーク構成セッティングにバイオメトリック・データ６０を関係づける情報を含み、設定モジュール４８が、受け取られたユーザ・バイオメトリックに基づいて、装置１２を自動的に設定し、かつ／または、装置１２を所望のタイプの通信ネットワーク・セッティングに切り替えるようにすることができる。例えば、動作の際、いくつかの実施形態では、設定モジュール４８は、登録手続きを起動して、特定タイプのバイオメトリックを入力するようにユーザに要求して、それを、特定タイプの有線および／または無線通信ネットワーク・セッティングに対応づけるか、あるいは、特定タイプの有線および／または無線通信ネットワーク・セッティングを選択して、それを所望のバイオメトリックに対応づける。リレーショナル・データ６４は、登録バイオメトリックを、対応する通信ネットワーク・セッティングに関係づける情報を含む。
【００１５】
したがって、動作の際、設定モジュール４８は、特定の通信ネットワークに対応づけられたセッティングを、装置１２のユーザの特定バイオメトリックとともに登録する。いくつかの実施形態では、設定モジュール４８は、バイオメトリック登録動作を実行して、特定のユーザ・バイオメトリックを、対応する有線および／または無線通信ネットワーク・セッティングに関係づけるために、ユーザ・インターフェース８０を表示するように構成されている。いくつかの実施形態では、インターフェース８０はまた、各タイプの有線および／または無線通信ネットワーク・セッティングに対応づけられた特定のバイオメトリックを、表示するなどして装置１２のユーザに知らせるために使用される。例えば、いくつかの実施形態では、インターフェース８０は、関連するバイオメトリックおよびネットワーク通信セッティングを、グラフィカルにハイライト表示するなどして、ユーザに知らせるように構成されている。したがって、例えば、指紋スキャン・バイオメトリック用途では、インターフェース８０は、特定の通信ネットワーク・セッティングに対応づけられたユーザの特定の指を、ハイライト表示するなどして、ユーザに指示するように構成されていて、ユーザが、対応する指をスキャンして、装置１２を設定し、かつ／または、装置１２を対応する通信ネットワーク・セッティングに切り替えるようにすることができる。
【００１６】
したがって、動作の際、装置１２のユーザから受け取られた特定のバイオメトリックに基づいて、設定モジュール４８は、その受け取られたバイオメトリックと、バイオメトリック・データ６０を比較し、かつ、リレーショナル・データ６４にアクセスして、その受け取られたユーザ・バイオメトリックに対応づけられた特定の通信ネットワーク・セッティングを識別して、選択する。受け取られたユーザ・バイオメトリックに基づいて、設定モジュール４８は、モデム３０および／または回路３２、３３、および／または３４を介して、その受け取られたユーザ・バイオメトリックに対応する通信ネットワーク・セッティングのために、装置１２を自動的に設定し、かつ／または切り替える。例えば、いくつかの実施形態では、その受け取られたユーザ・バイオメトリックに基づいて、設定モジュール４８は、異なる無線通信ネットワーク構成セッティング間で、異なる有線通信ネットワーク構成セッティング間で、有線通信ネットワーク構成セッティングから無線通信ネットワーク構成セッティングへ、あるいは、無線通信ネットワーク構成セッティングから有線通信ネットワーク構成セッティングへ、装置１２を自動的に切り替えるようにしている。
【００１７】
図２は、本発明によるインターフェース８０の一実施形態を例示した図である。図２に示される実施形態では、インターフェース８０は、指紋スキャン・バイオメトリック用途向けに構成されている。しかしながら、インターフェース８０は、さもなければ、他のタイプのバイオメトリック用途向けに構成されることができると理解すべきである。図２に示されるように、インターフェース８０は、特定の有線および／または無線通信ネットワーク・セッティングに対応づけられた登録指紋スキャン・バイオメトリック（全体として９０に示される）を、ハイライト表示するなどして、電子装置１２のユーザに指示するように構成されている。例えば、インターフェース８０は、ユーザが、登録指紋スキャン・バイオメトリックを通じて、スクロールするなどしてページを繰って、各登録指紋スキャン・バイオメトリックに対応づけられた特定の通信ネットワーク・セッティングを決定するように構成されることができる。ユーザは、対応するハイライト表示された指を読取り装置に通すか、あるいはスキャンすることで、特定の通信ネットワーク・セッティングを選択または要求することができる。ユーザのスキャンされた指に基づいて、設定モジュール４８は、装置１２を自動的に設定し、かつ／または、他の方法で装置１２を切り替えて、その相関されたセッティングに基づいて、対応する通信ネットワーク上で通信する。
【００１８】
いくつかの実施形態では、インターフェース８０はまた、装置１２に利用できるタイプの通信ネットワーク・セッティングをユーザに表示して、対応する関連バイオメトリックをユーザが特定できるようにし、かつ／または、バイオメトリックを、これらのネットワーク・セッティングとともに登録できるように構成されている。例えば、いくつかの実施形態では、インターフェース８０は、ユーザが、装置１２に利用できるタイプの通信構成ネットワーク・セッティングを通じて、スクロールするなどしてページを繰ることができるようにして、ユーザが、所望のセッティングに対応づけられた特定のバイオメトリックを識別できるように構成されている。さらに、いくつかの実施形態では、インターフェース８０は、バイオメトリックを、特定のネットワーク構成セッティングとともに登録できるように構成されている。例えば、いくつかの実施形態では、インターフェース８０、センサ・モジュール１６、および／または設定モジュール４８は、装置１２のユーザが、特定のネットワーク構成セッティングを識別し、かつ、所望のバイオメトリックを入力して、それを特定のセッティングに対応づける（あるいは、その逆）ことができるように構成されている。
【００１９】
図３は、本発明によるバイオメトリック構成管理方法の一実施形態を例示した流れ図である。この方法は、ブロック１００から開始し、ここで、設定モジュール４８は、ユーザによって所望される特定のネットワーク構成セッティングの選択を要求することで、バイオメトリック登録手続きを起動する。ブロック１０２において、設定モジュール４８は、ユーザからの、特定のネットワーク構成セッティングの選択を受け取る。例えば、いくつかの実施形態では、インターフェース８０は、ＰＡＮセッティング７０、ＷＡＮセッティング７２、またはＬＡＮセッティング７４など（ただし、それらには限定されない）、特定の有線および／または無線通信ネットワーク・セッティングをユーザが識別し、かつ／または、他の方法で選択することができるように構成されている。
【００２０】
ブロック１０４において、設定モジュール４８は、選択された通信ネットワーク・セッティングに対応づけるために、ユーザにバイオメトリックを要求する。ブロック１０６において、設定モジュール４８は、バイオメトリック・センサ・モジュール１６を介して、ユーザからバイオメトリックを受け取る。ブロック１０８において、設定モジュール４８は、その受け取られたユーザ・バイオメトリックを、バイオメトリック・データ６０として記憶する。ブロック１１０において、設定モジュール４８は、その受け取られたバイオメトリックを、選択されたネットワーク構成セッティングに対応づける。例えば、設定モジュール４８は、その受け取られたユーザ・バイオメトリックを、対応する選択された通信ネットワーク・セッティングに関係づける情報を、リレーショナル・データ６４として記憶する。判断ブロック１１２において、ユーザが、他のバイオメトリックを他の通信ネットワーク・セッティングとともに登録したいかどうかの判断が下される。ユーザが、他のバイオメトリックを、他の通信ネットワーク・セッティングとともに登録したい場合には、この方法は、ブロック１００に進む。
【００２１】
図４は、本発明によるバイオメトリック構成管理方法の他の実施形態を例示した流れ図である。この方法は、ブロック２００から開始し、ここで、設定モジュール４８は、ユーザ・バイオメトリックを要求する。ブロック２０２において、設定モジュール４８は、バイオメトリック・センサ・モジュール１６を介してユーザ・バイオメトリックを受け取る。ブロック２０４において、設定モジュール４８は、リレーショナル・データ６４にアクセスする。ブロック２０６において、設定モジュール４８は、受け取られたユーザ・バイオメトリックに対応づけられた特定の有線および／または無線通信ネットワーク構成セッティングを識別する。ブロック２０８において、設定モジュール４８は、その受け取られたユーザ・バイオメトリックに基づいて、その特定された通信ネットワーク構成セッティングに合わせた通信のために、装置１２を自動的に設定し、かつ／または切り替える。
【００２２】
したがって、本発明の実施形態により、装置１２のユーザは、特定の指の指紋スキャンなどの特定のバイオメトリックを入力することで、装置１２での通信ネットワーク構成セッティングを容易に、かつ適宜に変更することができる。本発明の実施形態は、特定のバイオメトリックを、対応する有線および／または無線ネットワーク構成セッティングに対応づける処置をユーザが容易に識別できるようにするインターフェース８０を持つように、構成されることができる。
【００２３】
図３および図４に述べられる方法では、いくつかの機能は、図３および図４に示されるものとは異なる順序で省略されるか、組み合わされるか、あるいは達成されることができると理解すべきである。さらに、図３および図４に示される方法は、本明細書のほかのどこかに述べられる他の特徴または側面のどれでも包含するように変更されることができると理解すべきである。
【図面の簡単な説明】
【００２４】
【図１】本発明によるバイオメトリック構成管理システムの一実施形態を例示した図である。
【図２】図１に示されたシステムで用いられるユーザ・インターフェースの一実施形態を例示した図である。
【図３】本発明によるバイオメトリック構成管理方法の一実施形態を例示した流れ図である。
【図４】本発明によるバイオメトリック構成管理方法の他の実施形態を例示した流れ図である。
【符号の説明】
【００２５】
１０：バイオメトリック構成管理システム
１２：装置
１６：バイオメトリック・センサ・モジュール
４８：設定モジュール
６０：バイオメトリック・データ
６４：リレーショナル・データ
７０：ＰＡＮ（パーソナル・エリア・ネットワーク）構成セッティング
７２：ＷＡＮ（広域ネットワーク）構成セッティング
７４：ＬＡＮ（ローカル・エリア・ネットワーク）構成セッティング
７６：ＶＰＮ（仮想私設ネットワーク）構成セッティング
８０：インターフェース
【図１】
2005322217.tif 000003
【図２】
2005322217.tif 000004
【図３】
2005322217.tif 000005
【図４】
2005322217.tif 000006